(57)【要約】【課題】  本発明は、ガムを噛む毎に捨紙束を容器内に出し入れせずに、捨て紙に包んでガムを処分できるガム容器を提供することを課題とする。【解決手段】  複数のガム５が収納された容器２と、複数の捨て紙３１が個々に取出し可能に束ねられた捨紙束３とを備え、捨紙束３が、ガム５と共に容器２内に収納されているガム容器１であって、捨紙束３の一面に粘着層が設けられ且つこの粘着面に離型紙が添付されている。【選択図】      図１
2006089054.tif 000002
【特許請求の範囲】
【請求項１】
複数のガムが収納された容器と、複数の捨て紙が個々に取出し可能に束ねられた捨紙束とを備え、前記捨紙束が、ガムと共に容器内に収納されているガム容器であって、
前記捨紙束の一面に粘着層が設けられ且つこの粘着面に離型紙が添付されていることを特徴とするガム容器。
【請求項２】
複数のガムが収容された容器と、複数の捨て紙が個々に取出し可能に束ねられた捨紙束と、を備え、前記捨紙束が、ガムと共に容器内に収納されているガム容器であって、
前記容器の外面に、上層を引き剥がすことにより粘着面の露出しうるラベルが貼付されていることを特徴とするガム容器。
【発明の詳細な説明】
【技術分野】
【０００１】
本発明は、容器内に複数のガムと捨紙束が収納されているガム容器に関する。
【背景技術】
【０００２】
チューインガム（本出願において「ガム」という）の包装形態として、開閉可能な蓋付きの合成樹脂製の容器内に、複数個のガムが収納されているガム容器が知られている。
かかる包装形態のガムは、一般に、ガムそのものは包装紙に包まれておらず、包装紙で個包装されたガムのように、噛み終わった後のガムを該包装紙に包んで捨てることができないため、別途、複数枚の捨て紙が束ねられた捨紙束が容器内に収納されている。
かかる捨て紙が同封されていることにより、消費者は、ガムを噛み終わった後、容器から捨紙束を取り出し、その束から１枚の捨て紙を取り出してガムを包み、ゴミ箱に捨てることができる。
しかしながら、ガムを噛んだ後、一々容器を開け、ガムと共に容器内に収納されている捨紙束を探して取り出すことは面倒である。又、捨紙束から１枚の捨て紙を取った後、この捨紙束をガムが収納されている容器内に戻すので、衛生上好ましいとは言えない。
【発明の開示】
【発明が解決しようとする課題】
【０００３】
そこで、本発明は、ガムを噛む毎に捨紙束を容器内に出し入れせずに、捨て紙に包んでガムを処分できるガム容器を提供することを課題とする。
【課題を解決するための手段】
【０００４】
上記課題を解決するための第１の手段として、本発明は、複数のガムが収納された容器と、複数の捨て紙が個々に取出し可能に束ねられた捨紙束とを備え、捨紙束が、ガムと共に容器内に収納されているガム容器であって、捨紙束の一面に粘着層が設けられ且つこの粘着面に離型紙が添付されているガム容器を提供する。
【０００５】
かかるガム容器は、容器内に収納された捨紙束が、離型紙の添付された粘着層を有するので、使用者は、最初に該捨紙束を容器から取り出し、離型紙を剥がして、容器の外面などに貼り付けておくことができる。事後、ガムを噛む毎に、容器の収納部から捨紙束を出し入れしなくても、捨紙束から個々の捨て紙を取り出し、これにガムを包んで処分できる。
【０００６】
また、本発明の第２の手段は、複数のガムが収容された容器と、複数の捨て紙が個々に取出し可能に捨ねられた捨紙束とを備え、捨紙束が、ガムと共にガム収容部に収納されているガム容器であって、容器の外面に、上層を引き剥がすことにより粘着面が露出しうるラベルが貼付されているガム容器を提供する。
【０００７】
かかるガム容器は、容器の外面に上層を引き剥がすことにより粘着面が露出しうるラベルが貼付されているので、使用者は、最初に捨紙束を容器から取り出し、ラベル上層を引き剥がすことにより、ラベルの粘着面に捨紙束を貼り付けておくことができる。従って、上記と同様に、容器の収納部から捨紙束を取し入れせずに、個々の捨て紙にガムを包んで処分できる。
【発明の効果】
【０００８】
本発明のガム容器は、ガムを噛む毎に捨紙束を容器内に出し入れせずに、捨て紙に包んでガムを処分できる。
従って、ガムを噛む毎に、容器内から捨紙束を探す必要もなく、簡単に捨て紙を取り出してガムを処分できる。
また、一度取り出した捨紙束を未だガムが収納されている容器内に戻さないので、衛生的に好ましいガム容器を提供できる。
【発明を実施するための最良の形態】
【０００９】
以下、本発明について、図面を参照しつつ具体的に説明する。
（第１実施形態）
図１に於いて、１は、複数のガム５が収納された容器２と、該容器２内に収納され、且つ複数の捨て紙３１が個々に取出し可能に束ねられた捨紙束３と、を備えるガム容器を示す。
【００１０】
具体的には、容器２は、例えば、内部に空洞状の収納部２３が形成された上面開口型の本体２１と、該本体２１にネジ螺合（図示せず）によって着脱自在で、且つ本体２１の開口部を開閉可能な蓋体２２と、から構成されている。該容器２は、例えば、合成樹脂の成形品で形成されており、蓋体２２の外面及び／又は本体２１の外周面の適宜箇所に、商品名、広告、商品説明などの意匠印刷が施されたラベル７が貼付されている。
この容器２の収納部２３内に、複数のガム５と捨紙束３が収納されている。収納されるガム５は、（包装紙で包まれていない）非包装のガムであって、その形態は特に限定されず、糖衣にて被覆された粒状のものや、糖衣で被覆されていない板状のものなどが例示される。
【００１１】
捨紙束３は、図２に示すように、比較的厚手の台紙３２と、該台紙３２の上面に重畳的に重ねられた複数の捨て紙３１と、台紙３２の下面に塗布された粘着剤からなる粘着層３３と、該粘着層３３の粘着面を覆うように添付された離型紙３４と、から構成されている。
個々の捨て紙３１の下面の一側縁部３１ａには、弱粘着剤が塗布されており、該捨て紙３１を上下に重ね合わせることにより、各捨て紙３１は、一側縁部３１ａに於いて綴じられている。一方、使用時には、最上層の捨て紙３１の他側縁部から捲り上げることにより、１枚の捨て紙３１を簡単に取り外すことができるようになっている。
捨て紙３１の大きさ（形状）は、特に限定されず、ガム５を包み込むことができる程度の形状（例えば４０ｍｍ四方の矩形状など）に形成される。
粘着層３３の粘着剤は、捨紙束３を容器２に貼付可能な程度の粘着力を有する感圧型粘着剤が用いられているが、捨紙束３が容器２内にガム５と共に収納されることから、食品衛生法に適合する安全性の高い粘着剤を用いることが好ましい。
【００１２】
上記ガム容器１は、例えば、最初に捨紙束３を容器２内から取り出し、図３に示すように、離型紙３４を引き剥がして露出した粘着層３３を介して、蓋体２２の外面や内面、容器本体２１の外周面など適宜箇所に貼付することができる。
そして、ガムを噛み終わった後、使用者は、該貼付状態の捨紙束３から捨て紙３１を１枚取り出し、これにてガムを包んで処分できる。
このように捨紙束３を一々容器２の収納部２３内に戻す必要がないので、ガムを処分する毎に捨紙束３の出し入れをする煩雑さがなくなり、又、手で何度も触る捨紙束３を容器２内に戻さずに済むので衛生的にも好ましいものである。
尚、捨紙束３の貼付箇所は、容器２に限られず、例えば、車内のフロントパネルや、部屋の机など、使用者が所望する任意の場所に貼付することもできる。
【００１３】
（第２実施形態）
第２実施形態は、ラベルに捨紙束を貼付できるガム容器に関する。以下、主として上記各実施形態と異なる部分を説明し、同様の構成については、用語及び図番を援用し、その説明を省略する。
本実施形態の捨紙束３は、特に図示しないが、貼付用の粘着層３３及び離型紙３４が設けられていないという点を除いて、上記第１実施形態と同様であり、容器２内に収納されている。
本実施形態に於いては、図４（ａ）に示すように、容器２に貼付されたラベル７のうち、例えば蓋体２２の外面に貼付されたラベル７’が、上層を引き剥がすことにより粘着面が露出しうるラベルとなっている。
【００１４】
具体的には、該ラベル７’は、図５に示すように、下から順に、容器２に貼付するための第１粘着層７１と、下層基材７２と、捨紙束３を貼付するための第２粘着層７３と、剥離層７４と、意匠印刷が施された上層基材７５とを備えている。
第１粘着層７１は、容器２に貼付可能な粘着剤であれば特に限定されず、感圧型粘着剤、感熱型接着剤などを用いることができる。
第２粘着層７３は、上記第１実施形態と同様に感圧型粘着剤が好ましいが、本実施形態に係る捨紙束貼付用のラベル７’は、通常、容器２の外面に貼付されるので、食品衛生法に適合しないものを使用することもできる。
下層基材７２及び上層基材７５は、特に限定されず、紙、合成紙、合成樹脂シート（フィルム）など、ラベル基材として通常使用されているものを用いることができる。また、剥離層７４は、シリコーン樹脂などを塗布することにより形成される。
【００１５】
上記ガム容器１は、まず最初に容器２から捨紙束３を取り出し、ラベル７’の上層基材７５を剥離して第２粘着層７３の粘着面を露出させれば、図４（ｂ）に示すように、該粘着面に捨紙束３を貼付することができる。
そして、ガムを噛み終わった後、使用者は、該貼付状態の捨紙束３から捨て紙３１を１枚取り出し、これにてガムを包んで処分できる。
本実施形態に係るガム容器１は、上記と同様に、捨紙束３を容器２内に戻す必要がないので、捨紙束３の出し入れをする煩雑さがなくなり、衛生的にも好ましい。また、容器２内に収納する捨紙束３に貼付用の粘着層３３を設けず、ラベル７’に貼付用の粘着層７３を設けるため、粘着剤がガムに接触する虞がない。
【００１６】
尚、上層基材７５は、その全面を剥離して粘着面を露出させるものに限られず、例えば、上層基材７５の一部分を剥離して粘着面を露出させるように構成されていてもよく、粘着面の露出面積は、捨紙束３を保持できる大きさに形成されていればよい。また、このような粘着面を露出しうるラベル７’を、本体２１の外面及び蓋体２２の上面の両方に設けても良い。
【００１７】
＜他の実施形態＞
上記各実施形態では、捨紙束３は、複数枚の捨て紙３１が一側縁部３１ａに於いて互いに弱接着されて束ねられたものからなるが、捨紙束３の構成はこれに限定されず、例えば、図６（ａ）に示すように、所定間隔をおいてミシン目などの切断線８が形成された帯状の紙を、該切断線８を境に交互に折り畳まれてなる捨紙束３を用いることもできる。かかる捨紙束３は、切断線８にて切り取られた紙片を捨て紙３１として使用するものである。また、同図（ｂ）に示すように、一面開口型のケース体９に、複数枚の捨て紙３１が単葉で重ねて収納されている捨紙束３を用いることもできる。このように捨紙束３は、個々の捨て紙３１を取り出し可能に構成されているものであれば、その具体的構成は特に限定されない。
また、捨て紙３１の材質も紙に限定されず、プラスチックフィルムや合成紙などでもよい。
【００１８】
また、上記各実施形態に於いて、容器２は、本体２１とネジ作用によって着脱自在な蓋体２２とからなるが、例えば、蓋体２２が本体２１に凹凸嵌合により着脱できるものでもよく、又、蓋体２２が、ヒンジ部を介して本体２１に連結されているものなどを用いることも可能である。
【００１９】
さらに、上記各実施形態の容器２に代えて、本体２１外面や蓋体２２の外面に、捨紙束３が嵌り込む程度の大きさの凹部が形成された容器２を用いても良い。かかる凹部が形成された容器２によれば、捨紙束３を該凹部に貼付することができ、捨紙束３が容器２から突出することを防止できる。
【図面の簡単な説明】
【００２０】
【図１】第１実施形態のガム容器を示す分解斜視図。
【図２】（ａ）は、捨紙束の斜視図、（ｂ）は、同Ａ−Ａ線断面図。
【図３】同ガム容器の使用状態を示す縦断面図。
【図４】（ａ）は、第２実施形態のガム容器を示す斜視図、（ｂ）は、同使用状態を示す斜視図。
【図５】図４（ａ）のＢ−Ｂ線で切断したラベルの断面斜視図。
【図６】（ａ）、（ｂ）共に、捨紙束の他の実施形態を示す斜視図。
【符号の説明】
【００２１】
１…ガム容器、２…容器、２１…本体、２２…蓋体、３…捨紙束、３１…捨て紙、３１ａ…捨て紙の一側縁部、３２…台紙、３３…粘着層、３４…離型紙、５…ガム、７，７’…ラベル、７１…第１粘着層、７２…下層基材、７３…第２粘着層、７４…剥離層、７５…上層基材
【図１】
2006089054.tif 000003
【図２】
2006089054.tif 000004
【図３】
2006089054.tif 000005
【図４】
2006089054.tif 000006
【図５】
2006089054.tif 000007
【図６】
2006089054.tif 000008